Podtech/llm-jp-corpus-v4-ja_patent huggingface dataset:
(57)【要約】      （修正有）【課題】小型偏平モータの部品の位置決めを、高価な設備を使わず安価且つ高品質に組み立てを行う。【解決手段】偏平型モータ固定子のブラシ基板４にブラシ位置決め用のパターン６及びマグネット位置決め用のパターン７を具備し、設備投資を押さえ、ブラシの圧力調整を簡易かつ正確に行うことが出来る。【選択図】図２
0003104310.tif 000002
【実用新案登録請求の範囲】
【請求項１】
マグネットとブラシとブラケットと基板で構成される偏平型モータ固定子において、前記ブラシを固定する前記基板にブラシ位置がわかるようなパターンを形成することを特徴とした偏平型モータのブラシ固定基板。
【請求項２】
マグネットとブラシとブラケットと基板で構成される偏平型モータ固定子において、前記ブラシを固定する前記基板にマグネット位置がわかるようなパターンを形成することを特徴とした偏平型モータのブラシ固定基板。
【考案の詳細な説明】
【技術分野】
【０００１】
本考案は、携帯電話の振動呼び出し等に搭載される偏平型モータの改良に関する。
【背景技術】
【０００２】
携帯電話等に搭載される偏平型モータは、年々小型化の要求が高まり昨今では直径Φ１０ｍｍ程度のモータが採用されている。このため、偏平型モータの構成部品は極めて小さな部品で出来ており、ブラシを固定する基板も直径４ｍｍ程度の小型なものとなる。
【０００３】
図１に従来技術の固定子１を示す。図中２はブラシ、３はマグネット、４は基板、５はブラケットで構成されている。ブラシ２は半田付けで基板４に取り付けられている。基板４は厚み０．１ｍｍ程度のフレキシブル基板で構成されており、ブラケット５に両面テープや接着剤等を用い固定されている。マグネット３は希土類磁石をリング状にしたもので、基板４をブラケット５と挟み込むように接着固定されている。直径１０ｍｍ程度の超小型偏平モータではブラシ２の接触圧で性能に大きな差が生じるので、ブラシ２の接触圧力を一定にする為に、ＣＣＤカメラ等を使いモニターに拡大したブラシ２を作業者が圧力調整を行っていた。
【０００４】
また、マグネット３の接着には、専用の治具を製作し紫外線硬化型の接着剤等を使用し、紫外線照射装置に前記治具に固定したまま接着剤を硬化させている。
【考案の開示】
【考案が解決しようとする課題】
【０００５】
しかしながら、直径が１０mm程度の偏平型モータ等では高価なＣＣＤカメラを使い大きく拡大する必要とモニターを使用しなければならず、設備投資が大きな課題であった。また、モニターを見ながらブラシの圧力を調整するのは非常に作業が困難であった。
【０００６】
また、ブラシ２を配置する基板４は直径４ｍｍ程度しかなく、マグネット３が位置ズレするとブラシ同士が短絡し、動作しなくなる問題が発生していた。このような問題が発生しないように、マグネット３とブラシ基板４の位置精度を確保する為に、位置決め用の治具を使用している。マグネット３は紫外線硬化型接着剤を使用しブラケット５に固定している。一般的にベルトコンベア方式の紫外線照射装置を使用しており、硬化させる時間は数分かかるので大量の位置決め用治具を必要としており、コスト増の大きな要因となっていた。
【０００７】
携帯電話用部品の競争も厳しく、偏平型モータの価格は年々下落している。そんな中、高品質を維持した上で安価に組み立てが出来る小型偏平モータの要求が課題であった。
【課題を解決するための手段】
【０００８】
上記課題を解決するために、請求項１記載の本考案の偏平型モータ固定子は、ブラシ基板にブラシ位置決め用のパターンを具備していることを特徴としている。
【０００９】
また、請求項２に記載の本考案の偏平型モータ固定子は、ブラシ基板にマグネット位置決め用のパターンを具備していることを特徴としている。
【考案を実施するための最良の形態】
【００１０】
以下、図面により、本考案の実施の形態について説明する。なお、以下の各実施形態において、従来の技術の欄で説明した部材と同様の機能を有する部材については同じ符号を付し、説明を一部省略する。
【００１１】
図３は本実施形態に係る偏平型モータのブラシ基板を示す。図２は本実施形態に係る偏平型モータ１の固定子を示す図である。
【００１２】
図３を用い本考案について説明をする。本考案の実施形態によれば、ブラシ固定基板４’にブラシ位置決め用パターン６とマグネット位置決めパターン７が形成されている。
【００１３】
本考案の基板４’は、ブラシ固定用パターンの一部をブラシ位置決めが出来るように、あらかじめブラシ形状に合わせたパターンとなっている。また、前記パターンを製造する際に同時にマグネット位置決め用パターンも形成する。
このようにすれば、基板４’の銅箔パターンを製造する際の版下の変更のみで済み、コストを上げることなく位置決めパターンを形成することが出来る。
【００１４】
このような形状にすると、作業者がブラシ２の圧力を一定にする為の位置決め作業をする際、顕微鏡や拡大鏡等の安価な設備でブラシ２の位置を容易に調整ができる。同じように、マグネット３を固定する際もパターンに合わせて置くだけで高精度の位置決めが可能になり、治具等を全く使わず作業が容易に可能となる。
【００１５】
以上、本考案の実施の形態について説明したが、本考案は上述の実施形態のものに限定されるものではなく、本考案の趣旨を逸脱しない範囲で種々の変形が可能である。
【産業上の利用可能性】
【００１６】
以上詳述したように、本考案によれば、ブラシ基板４のパターン形状を変更するのみで、ブラシ位置やマグネット位置を容易に且つ高精度に製造することが可能となり、大幅な製造コスト減で出来るという利点がある。特別な設備や治具も必要なく部品単価の上昇も生じない。
【図面の簡単な説明】
【００１７】
【図１】従来の偏平型モータの固定子を示す図である。
【図２】本考案の偏平型モータ固定子を示す図である。
【図３】本考案の偏平型モータのブラシ基板を示す図である。
【符号の説明】
【００１８】
１    固定子
２    ブラシ
３    マグネット
４，４’  ブラシ固定基板
５    ブラケット
６    ブラシ位置決めパターン
７    マグネット位置決めパターン  
【図１】
0003104310.tif 000003
【図２】
0003104310.tif 000004
【図３】
0003104310.tif 000005
(57)【要約】【課題】  乳幼児の行動の自由を確保しつつ、より安全にベビーカーに乗せることができるベビーカー用乳幼児固定装具。【解決手段】  背当て側部と腹当て側部をおむつカバー状に連成した本体の当該背当て側部に、装着時パンツ形態を保持する着脱自在の固定手段を設けると共に、ベビーカーへの取り付け用帯を取り付けた。【選択図】  図１
0003104306.tif 000002
【実用新案登録請求の範囲】
【請求項１】
背当て側部と腹当て側部をおむつカバー状に連成した本体の当該背当て側部に、装着時パンツ形態を保持する着脱自在の固定手段を設けると共に、ベビーカーへの取り付け用帯を取り付けたことを特徴とするベビーカー用乳幼児固定装具。
【請求項２】
着脱自在の固定手段が、端部に係脱フック機構部を備えたベルトであることを特徴とする請求項１記載のベビーカー用乳幼児固定装具。
【請求項３】
装着時の係脱フック機構部を収納する輪状帯部が腹当て側部の外面に設けられていることを特徴とする請求項２記載のベビーカー用乳幼児固定装具。
【請求項４】
ベビーカーへの取り付け用帯が、上位帯部と下位帯部の２本から成ることを特徴とする請求項１〜３の何れか１項記載のベビーカー用乳幼児固定装具。
【請求項５】
本体及びベビーカーへの取り付け用帯がデニム製であることを特徴とする請求項１〜４の何れか１項記載のベビーカー用乳幼児固定装具。
【考案の詳細な説明】
【技術分野】
【０００１】
本考案は、乳幼児をベビーカーに乗せるときに使用するベビーカー用乳幼児固定装具に関する。
【背景技術】
【０００２】
ベビーカーは、その簡便性の故にデパートや病院等において汎用されている。
しかしながら、従来のベビーカーは、座席部に単にＴ字状の枠体やＴ字状のベルトが取り付けられているに過ぎなかったため、次のような問題があった。
【０００３】
すなわち、１）３ヶ月以下や体重の軽い乳幼児の場合、中央のベルトとサイドベルトの間隔が広いため、体動により乳幼児の両足が片方へ入り込み、摺り落ちる危険性があり、２）５ヶ月以降になると左右への体動が著しくなるため、乳幼児がサイドへ転落する危険性が生じ、３）９ヶ月以降になると前方への体動が加わるため、乳幼児が左右・前方へ転落する危険性が増加し、４）１歳以降では、立ち上がろうとする行動が見られるようになる結果、細めや暖めの固定ベルトでは容易に立ち上がることができ危険なのが実状であった。
【考案の開示】
【考案が解決しようとする課題】
【０００４】
本考案は上記の如き従来の問題に鑑みてなされたもので、乳幼児の行動の自由を確保しつつ、より安全にベビーカーに乗せることができるベビーカー用乳幼児固定装具を提供することを課題としている。
【課題を解決するための手段】
【０００５】
本考案のベビーカー用乳幼児固定装具は、背当て側部と腹当て側部をおむつカバー状に連成した本体の当該背当て側部に、装着時パンツ形態を保持する着脱自在の固定手段を設けると共に、ベビーカーへの取り付け用帯を取り付けることによって上記課題を解決したものである。
【考案の効果】
【０００６】
本考案のベビーカー用乳幼児固定装具を用いれば、おむつカバー状の本体がその装着時にパンツ形態となるので、乳幼児を股関節と骨盤全体で固定保持した状態でベビーカーに乗せ、かつベビーカーに取り付けることができる結果、より安全にベビーカーを使用することができる。しかも、乳幼児の足はもとより上半身は何ら固定されていないので、乳幼児の行動の自由は十分に確保される。
また、本考案は、帯でベビーカーに取り付け固定するものであるため、あらゆる規格のベビーカーに対応することができる。
【考案を実施するための最良の形態】
【０００７】
以下本考案の実施の形態を図面と共に説明する。
【０００８】
１０は本体で、背当て側部１１と腹当て側部１２を全体としておむつカバー状に連成して構成されている。
【０００９】
背当て側部１１には、乳幼児への装着時に、図２に示す如きパンツ形態を保持する着脱自在の固定手段が設けられている。この固定手段としては、係脱フック機構部を備えたベルト、すなわち一端に弾性フック部２１を有すると共に、他端に前記弾性フック部２１と弾性により係脱する係止部２２を有するベルト２０の中央部を、背当て側部１１の外面において固着するのが簡便性に優れ、有利である。尚、この係脱フック機構部は、ベルト２０の長さを折り返しにより適宜調節し得るようにしたものが、乳幼児の発育状態（体格）に対応でき好ましい。
【００１０】
３０は布製の輪状帯部で、腹当て側部１２の外面に、下端縁のみが固着され、他部はフリーな状態となっている。この輪状帯部３０は拡開すると中空部が形成されるので、当該中空部に装着時の係脱フック機構部、すなわち弾性フック部２１と係止部２２が収納されるようになっている。而して、この輪状帯部３０への係脱フック機構部の収納により、装着時乳幼児が係脱フック機構に触れることが防止され、より安全性が高まる。
【００１１】
４０はベビーカーへの取り付け用帯で、背当て側部１１の外面に、その中央部が固着され、他部はフリーな状態となっている。この帯４０は１本であっても良いが、上位帯部４１と下位帯部４２の２本構成とするのが乳幼児の体動に対応し、より安全に固定する上で望ましい。尚、ベビーカーへの取り付け用帯４０の長さは、ベビーカーに縛り付けるに足る長さを有するものであれば良い。
【００１２】
本体１０とベビーカーへの取り付け用帯４０の素材は特に限定されないが、強度性、柔軟性の点からデニム製とするのが望ましい。尚、この場合、背当て側部１１はデニムの３枚重ね、腹当て側部１２及びベビーカーへの取り付け用帯４０はデニムの２枚重ねとするのが好ましい。
【図面の簡単な説明】
【００１３】
【図１】本考案ベビーカー用乳幼児固定装具の概略平面説明図。
【図２】本考案ベビーカー用乳幼児固定装具の使用時の形態を示す概略正面説明図。
【符号の説明】
【００１４】
１０：本体
１１：背当て側部
１２：腹当て側部
２０：ベルト
２１：弾性フック部
２２：係止部
３０：輪状帯部
４０：ベビーカーへの取り付け用帯
４１：上位帯部
４２：下位帯部
【図１】
0003104306.tif 000003
【図２】
0003104306.tif 000004
(57)【要約】      （修正有）【課題】手帳において、スケジュールの量が増え、かつ、記入する文字が大きくなっても、記入スペースが広く、かつ、１年なり１ヶ月なりのまとまった期間の予定などを一度に確認できるものを提供する。【解決手段】手帳１に折り込み式ページ２を導入して見開きのページ数を２ページから３ページまたは４ページに増やすことにより、記入スペースを増やすと共に、１年なり１ヶ月なり、または１週間分の予定や結果が一度に確認できるようにすることを最も主要な特徴とする。【選択図】図１
0003104301.tif 000002
【実用新案登録請求の範囲】
【請求項１】
スケジュールを管理する為に使用される手帳において、１年間や１ヶ月分または１週間分の予定や結果を書き込めるページを見開きの２ページに留めず、左側または左右のページを折り込み式にしてページ数を３ページまたは４ページに拡張することを特徴とする折り込み式手帳。
【考案の詳細な説明】
【技術分野】
【０００１】  本考案は、スケジュールやメモなどを書き込む手帳に関するものである。
【背景技術】
【０００２】  年間のスケジュールを管理するのに使う手帳の多くは、見開き２ページで１年間の計画や１ヶ月の予定または１週間分の日程や結果が記されるようになっており、実用に供されている。
手帳には大小あり、大きいものは社内で使うことが多く、記入できるスペースも多い分色々書けるようになっている。また、小さいものは上着の内ポケットに収まり、社外での使用に手軽に用いることができ、実用上十分である。【０００３】  しかし、使う人の年齢が増すことにより、スケジュールの量が増え、かつ、老眼の影響で記入する文字も見易いように大きくなってくると、予定一枠のサイズも従来の大きさでは足りなくなると言う欠点があった。【０００４】  携帯性を伴う小サイズの手帳において、この欠点は大切な打合せや商談のスケジュールを漏れなく管理することに関して大きな問題である。具体的には、記入できるスペースが少ないために記入漏れを生じたり、違うページに記して忘れてしまいビジネスチャンスを失うと言った問題があった。【０００５】  この改善策として、ページ数を増やすと言った方法が取られてきた。しかしながらこの方法では、１年間や１ヶ月分のスケジュールなどのまとまった期間が１度に見られず、ページを捲ることになり、即座に全体が見られなくなることから全体の把握が取り難くなったり、見落としが生じたりすると言った新たな問題が生じた。また、これまでの特許や実用新案を見ても、月間予定も週間予定も見開きで見れると言った発案はあっても、いずれも月間予定の記入欄が狭い為、週間予定のページを捲るなどの操作が必要だった。
【特許文献１】特開２０００−１２７６５４号公報
【特許文献１】特開２００１−３９０６１号公報
【考案の開示】
【考案が解決しようとする課題】
【０００６】  解決しようとする問題点は、手帳を使う人の年齢が増すことにより、スケジュールの量が増え、かつ、老眼の影響で記入する文字も見易いように大きくなってくるのに対応して、予定などの記入スペースが広く、かつ１年なり１ヶ月なりのまとまった期間の内容が一度に見られる手帳の提供である。
【課題を解決するための手段】
【０００７】  本考案は、手帳に折り込み式ページを導入して見開きのページ数を２ページから３ページまたは４ページに増やし、大きな文字での記入にも足りるようにスペースを増やすと共に、１年なり１ヶ月なり、または１週間分の予定や結果が一度に確認できるようにすることを最も主要な特徴とする。
【考案の効果】
【０００８】  本考案の折り込み式手帳は、折り込み式ページを導入するため、見開きのページ数を２ページから３ページまたは４ページに増やすことができるので、１年なり１ヶ月なりのまとまった期間の内容が一度に見られるという利点がある。
【考案を実施するための最良の形態】
【０００９】  一度に年間計画表や月単位の予定表などが見られるという目的を、必要なページにのみ折り込み式ページを導入することにより、従来の手帳のサイズを損なわずに実現した。
【実施例１】
【００１０】  図１は、本考案手帳の一実施例の斜視図であって、手帳のサイズは、縦１５ｃｍ、横１０ｃｍあり、１ヶ月の予定表が見開き３ページに渡って記入できるようになった例である。【００１１】  各ページはそれぞれ１１日分の枠から構成されるようになっており、３ページ分の見開きを開けば一度に一月分の予定が確認できるようになっている。【００１２】  １日分の枠のサイズは、縦１１．６ｃｍ、横８ｃｍあり、大きな字でも数行に渡って記入できる大きさになっているため、必要な予定は漏れなく記入できる。【００１３】  一度に一月分の予定が確認できる為に、各予定の関連性が良く分かり、予定を立てる上での調整がし易くなった。【００１４】    図２の実施例は、折り込み式ページを見開き両ページに渡って設けた場合の斜視図であって、手帳の大きさは、Ｂ５サイズであり、１年間の予定表が見開き４ページに渡って記入できるようになった例である。【００１５】  各ページは横に月が配列され、項目名欄の下にそれぞれ３１日分の予定が記入できるような構成になっており、１ページに３ヶ月分の計画が記されるようになっており、両見開きを開けば一度に一年分の予定が確認できるようになっている。【００１６】  １日分の枠のサイズは、縦０．７ｃｍ、横５ｃｍあり、充分に計画内容を記入できる大きさになっている。【００１７】  ページを捲ることなく一度に一年分の予定が確認できる為に、一年間の行動計画が把握し易くなると共に予定を立てる上での調整もし易くなると言う効果が得られた。
【産業上の利用可能性】
【００１８】  サイズの小さい携帯用のみならずサイズの大きな手帳にも有効であり、住所禄などの検索において、一度に全体が見渡せた方が便利な種類のページにも適用できる。
【図面の簡単な説明】
【００１９】
【図１】折り込み式手帳の実施方法を示した説明図である。（実施例１）
【図２】折り込み式手帳の実施方法を示した説明図である。（実施例２）
【符号の説明】
【００２０】  １    手帳
２    折り込み式ページ
３    １ヶ月の予定表
４    １日の記入枠
５    年間計画表
【図１】
0003104301.tif 000003
【図２】
0003104301.tif 000004
(57)【要約】【課題】木地に取り付けたい物をネジを使ってドライバーで簡単に何回も取り付けたり取り外したりでき，木地をできるだけ傷つけないことを可能にする。【解決手段】木地にしっかり固定させるネジ（外側のネジ２）と木地に取り付けたい物を取り付けたり取り外したりするネジ（内側のネジ１）とを合体させることで課題を解決することが可能と考えた。そこで，ネジを木地にしっかり固定させ木地をできるだけ傷つけないために二つのネジ（外側のネジと内側のネジ）の回す方向を逆にすることと外側のネジ２の溝の幅や深さを内側のネジ１の溝の幅や深さより広く深くする。【選択図】図１
0003104302.tif 000002
【実用新案登録請求の範囲】
【請求項１】
外側のネジの内側にネジ（内側のネジ）をつけたもので，外側のネジと内側のネジを取り付けたり取り外したりするときは回す方向を逆にして内側のネジで物を取り付けたり取り外したりすることが簡単にでき，何回も内側のネジで物を取り付けたり取り外したりすることがドライバーでできることを特徴とする二重ネジ。
【考案の詳細な説明】
【技術分野】
【０００１】  本考案は，外側のネジと内側のネジとを一つのネジにしたものである。
【背景技術】
【０００２】  木地にネジで固定された戸や取り付け物等を取り換えたり一時的に取り外しておいたり，また取り外しておいた物を同じ位置に取り付けたりできるようにすることが，ドライバーで簡単にできて木地をできるだけ傷つけないようにしたいのです。【０００３】  従来のネジは，ドライバーで取り付ける物を木地にしっかりと固定できましたが，木地から取り付ける物を取り外すことが困難になりやすく木地を傷つけてしまい，同じ位置に取り付ける物を取り付けることが困難になってしまいます。したがって，取り付けるネジをもっと大きなネジに変えるか取り付ける物の位置を変える必要があります。また，取り付ける物についていた金具の位置も変えなくてはいけません。このようなことを繰り返していると木地が傷ついて虫が木地に入りやすくなって木地自体が傷み木地を取り換える必要が生じます。【０００４】  この改善策として，図１のようなネジを考案しました。木地をできるだけ傷つけないようにするための外側のネジ２と取り付ける物を簡単に取り付けたり取り外したりできる内側のネジ１を組み合わせて一つのネジとすることがドライバーで簡単に取り付けられるし，取り外せることになり，木地を傷つけないことにもなる。
【考案の開示】
【考案が解決しようとする課題】
【０００５】  解決しようとする問題点は，取り付ける物をネジで木地に取り付けたり取り外したりしても木地をできるだけ傷つけないようにする点にある。
【課題を解決しようとする手段】
【０００６】  本考案は，外側のネジ２が木地を傷つけたり内側のネジ１を取り外すときに一緒に外れてきたりしないように木地にしっかり固定させることを主要な特徴とする。それで，外側のネジ２の外側の溝は幅広く深く内側のネジの締め込みと逆方向に締め込むようにします。また，外側のネジ２の内側の溝は内側のネジ１としっかり合うようにします。内側のネジ１の溝は外側のネジ２の外側の溝より幅狭く浅くします。
【考案の効果】
【０００７】  本考案の二重ネジは，内側のネジ１で取り付けた物を簡単に取り付けたり取り外したりできる利点がある。
【考案を実施するための最良の形態】
【０００８】  本考案の二重ネジの形は図１のように取り付ける部分が外れないように円錐台部分が少しあって，次が円柱（全体の４／５）で先の方で円錐（全体の１／５）にすることが最良の形態と考える。
【産業上の利用可能性】
【０００９】  開き戸のように蝶番（ちょうつがい）を使ったところやネジを使って取り付けるところ，レールの上を転がす戸車を取り付けるところのように取り付ける物を取り外し同じ所に同じ物や違った物を取り付けたいときに利用価値があります。また，取り付けた物を端の方まできれいにしたいが，取り外さないときれいにできないときに便利です。
【図面の簡単な説明】
【００１０】
【図１】二重ネジの簡単な立体図（見取り図）です。
【図２】二重ネジを上から見た正面図と上から下に切断した断面図です。  溝の数や大きさ等は用途によって違ってきます。  １  内側のネジ（取り付け物を外側のネジ２に固定するネジ）  ２  外側のネジ（木地に固定するネジ）  ３  ドライバーでネジを取り付けたり取り外したりするための溝
【図１】
0003104302.tif 000003
【図２】
0003104302.tif 000004
(57)【要約】      （修正有）【課題】ケーキが焼き上がった時にナイフで剥離する際にナイフの先端が見えない。また焼き型本体が一般のケーキに比べて深い為、ケーキにナイフが刺さってしまうことがある。販売用のケーキや出版用の写真からも傷が見受けられる。又焼き上げに成功しても剥離ミスでプレゼントができない。中空円筒容器でケーキ等を焼き上げて離脱する際に折角綺麗に焼き上げたケーキの外側に疵が付かず、型が崩れず見栄え良い物を提供する。【解決手段】扇型を呈した有底の円筒容器２の中央部にケーキ焼き上げ時に中空が形成されるよう円柱７を設け、該円柱の底部が前記円筒容器の底を形成するよう設けたケーキ焼成用金型であって、前記円筒容器を形成する内側側壁に密着する内枠１を装着したケーキ焼成用金型である。更に、前記内枠は円筒容器の側壁高さと同じで且つ前記円筒容器に沿うように端部が開放状態であるケーキ焼成用金型である。【選択図】図２
0003104303.tif 000002
【実用新案登録請求の範囲】
【請求項１】
上方が底部より拡幅した有底の円筒容器（２）の中央部にケーキ焼き上げ時に中空が形成されるよう円柱（７）を設け、該円柱（７）の底部が前記円筒容器の底を形成するよう設けたケーキ焼成用金型であって、前記円筒容器を形成する内側側壁に密着する内枠（３）を装着したケーキ焼成用金型。
【請求項２】
前記内枠は円筒容器（１）の側壁高さと同じで且つ前記円筒容器に沿うように端部が開放状態である請求項１記載のケーキ焼成用金型。
【考案の詳細な説明】
【考案の詳細な説明】
【技術分野】
【０００１】  本考案は型にシフォンケーキ、エンジェルケーキ材料を入れて焼き上げた後、型から剥離と離脱することを容易にした金型に関するもある。
【技術背景】
【０００２】  中空円筒状のシフォンケーキ、エンジェルケーキはあるが、このケーキを焼き上げるために中空状の円筒容器に調合した材料を流し込み、焼き上がった時に離脱をするために食用油や香り付いたバター等を円筒状の容器の内側面に塗ってパン焼き機や熱炉に入れ焼き、焼きあがると炉等から取り出し冷却後中空円筒容器から離脱させている。このような中空円筒容器の一例として特開昭５４−１２６７７２号がある。  また、外枠体と底板縁とを密接させることができるケーキ焼成用型を兼ねる容器もある。
【０００３】この発明の構成は外枠体は多角筒状をなしている。蓋体は同外枠体の上方開口側において外嵌されるようになっている。底板は多角形状の板状体により構成されている。透孔は前記底板の中心部に穿設されている。  円筒を同内筒は前記底板の透孔に挿入され、係止部材によりその係止部をもって板に固定されている。内筒が装着された板板は、前記外枠体内に挿入配置されている例として特開平０８−１１６８５５号公報に開示されてる。
【０００４】
【特許文献１】特開昭５４−１２６７７２号公報（明細書１〜３頁）
【特許文献２】特開平０８−１１６８５５号公報
【０００５】  従来の中空円筒容器でケーキ等を焼き上げて離脱する際に折角綺麗に焼き上げたケーキの外側に疵が付いたり、型が崩れて見栄えが悪かった。本考案は前記に掲げた従来の欠点を解決するために、改良した中空円筒容器を提供することを目的とする。
【考案の開示】
【考案が解決しようとする課題】
【０００６】ケーキが焼き上がった時にナイフで剥離する際にナイフの先端が見えない。また焼型本体が一般のケーキに比べて深い為、ケーキにナイフが刺さってしまうことがある。  販売用のケーキや出版用の写真からも傷が見受けられる。又焼き上げに成しても離脱ミスでプレゼントができない。中空円筒容器でケーキ等を焼き上げて離脱際に折角綺麗に焼き上げたケーキの外側に疵が付かず、型が崩れず見栄え良い物を提供する。
【課題を解決するための手段】
【０００７】  上方が底部より拡幅した有底の円筒容器の中央部にケーキ焼き上げ時に中空が形成されるよう円柱を設け、該円柱の底部が前記円筒容器の底を形成するよう設けたケーキ焼成用金型であって、前記円筒容器を形成する内側側壁に密着する内枠を装着したケーキ焼成用金型である。  更に、前記内枠は円筒容器の側壁高さと同じで且つ前記円筒容器に沿うように端部開放状態であるケーキ焼成用金型である。
【考案の効果】
【０００８】  本考案の金型を用いると熟練してない素人でも簡単に剥離できるので失敗がない見えのよいケーキを焼きあげ離脱することができ、更に永久的に使えるので経済的、しかも外枠はほとんど汚れないので使用後に洗うのも簡単である。
【考案を実施するための最良な形態】
【０００９】  上方が底部より拡幅した有底の円筒容器（２）の中央部にケーキ焼き上げ時に中空形成されるよう円柱（７）を設け、該円柱（７）の底部（４）が前記円筒容器（２）の底を形成するよう設けたケーキ焼成用金型であって、前記円筒容器を形成する内側側壁に密着する内枠（１）、（３）を装着したケーキ焼成用金型である。    更に、前記内枠（３）は円筒容器の側壁高さと同じで且つ前記円筒容器に沿うように端部が開放状態で、且内縁（５）が円筒容器の底部円周沿うよう形成され外縁（６）も円筒容器の上部沿うように形勢されている。
【実施例】
【００１０】  本案件は焼き上がった円筒容器（２）から内枠を取り出し、内枠とケーキの密着部分にナイフを入れ、その先端が確認できたらナイフを一周させ剥離するものである。
【産業上の利用分野】
【００１１】シフォンケーキ愛好家の中でも型から剥離困難の声も多く、せっかく焼き上げたケーキが剥離ミスし型が崩れる。焼き上げたケーキが容易に離脱出来れば専業者や愛好家等の利用拡大間違いなしと予測できる。
【図面の簡単な説明】
【００１２】
【図１】内枠を示す図である。
【図２】円筒状容器に内枠を装着した状態を示す断面図である。
【図３】円筒状容器に内枠を装着した状態を示す平面図である。
【符号の説明】
【００１３】１  内枠２  円筒容器３  内枠４  底部５  内縁６  外縁７  円柱
【図１】
0003104303.tif 000003
【図２】
0003104303.tif 000004
【図３】
0003104303.tif 000005
(57)【要約】
【課題】　監視用カメラシステムは監視用カメラ、映像モニター、記録装置から構成され、監視したい場所に、監視用カメラを設置し、離れた場所に映像モニター及び記録装置を設置し、監視カメラ設置場所からの映像信号を映像モニターや記録装置に伝達して、監視や記録が行われている。監視カメラ設置場所から映像モニターや記録装置に映像信号を伝達する方法としては、ケーブルや無線を用いているが、ケーブルを用いた場合は、監視カメラ設置場所から映像モニターや記録装置までのケーブルの配線工事が必要であり、容易に設置することが出来ない問題点がある。また、無線を用いた場合は、監視用カメラの設置場所から映像モニターや記録装置までの間に電波遮蔽物があると伝達が出来ない問題点がある。従って監視用カメラと記録装置を一体化することで前述の欠点を解決しようとするものである。
【解決手段】　本考案は、監視用カメラ筐体内に大きな記録容量を持つ例えばハードディスクや不揮発性のメモリーユニットなどの記録媒体を設け、映像信号を記録し、記録容量が満杯になった際には、自動的に順次最も古い映像信号を消去し、新しい映像信号を記録することでエンドレスの記録機能を設け、監視に必要な例えば５日間程度の期間の記録をする。また、再生を行いたい時には、記録媒体を映像モニター装置に接続して再生を行うことで問題点を解決している。
【選択図】　図１
0003100533.tif 000002
【実用新案登録請求の範囲】
【請求項１】
　監視用カメラ筐体内に大きな記録容量を持つ記録媒体を設け、エンドレスに映像を記録することが出来る機能を設け、必要な時に記録媒体を回収し、再生をするよう構成したところを特徴とする監視用カメラ装置。
【考案の詳細な説明】
【技術分野】
【０００１】　本考案は監視用カメラ筐体内に記録／再生の機能を設けた、監視用カメラ装置に関するものである。
【背景技術】
【０００２】　監視用カメラシステムは監視用カメラ、映像モニター、記録装置から構成され、監視したい場所に、監視用カメラを設置し、離れた場所に映像モニター及び記録装置を設置し、監視カメラ設置場所からの映像信号を映像モニターや記録装置に伝達して、監視や記録が行われている。
【考案の開示】
【考案が解決しようとする課題】
【０００３】　監視カメラ設置場所から映像モニターや記録装置に映像信号を伝達する方法としては、ケーブルや無線を用いているが、ケーブルを用いた場合は、監視カメラ設置場所から映像モニターや記録装置までのケーブルの配線工事が必要であり、容易に設置することが出来ない問題点がある。また、無線を用いた場合は、監視用カメラの設置場所から映像モニターや記録装置までの間に電波遮蔽物があると伝達が出来ない問題点がある。
　従って監視用カメラと記録装置を一体化することで前述の欠点を解決しようとするものである。
【課題を解決するための手段】
【０００４】　本考案は、監視用カメラ筐体内に大きな記録容量を持つ例えばハードディスクや不揮発性のメモリーユニットなどの記録媒体を設け、映像信号を記録し、記録容量が満杯になった際には、自動的に順次最も古い映像信号を消去し、新しい映像信号を記録することでエンドレスの記録機能を設け、監視に必要な例えば５日間程度の期間の記録をする。また、再生を行いたい時には、記録媒体を映像モニター装置に接続して再生を行うことで問題点を解決している。
【考案の効果】
【０００５】　前述のように、本考案のエンドレス記録／再生機能付き監視用カメラ装置は、監視カメラと記録装置が一つの筐体内にあるために容易に設置を行うことが出来る。また、エンドレスに長期間の記録を行っているので再生が必要な時に記録媒体部を回収し、映像モニター装置に接続して再生をすることで目的の映像を見ることが出来る。
【考案を実施するための最良の形態】
【０００６】　エンドレス記録／再生機能付き監視用カメラ装置のカメラには、デジタル式カメラを用い、記録媒体にはハードディスクまたは不揮発性のメモリーユニットを用いる。また、再生時にはパソコンに接続して再生が出来るように外部への接続端子を備えたデジタル構成にすることで、従来の監視用カメラと同程度の筐体内に構成するが出来る。また、記録媒体にエンドレス記録することで、数日間の記録をすることが可能となる。
【実施例】
【０００７】　以下、添付図面に従って一実施例を説明する。１はＣＣＤカメラ、２はカメラからの映像信号を一時的に記録するメモリー、３はハードディスク制御部、４はハードディスク、５は制御部、６は外部接続部で構成した。１で撮影した映像をデジタル信号にし、２で一時的に記録し、５で映像信号を圧縮、エンドレスに記録を制御し、４に記録する。再生時には４と６を取り外して、パソコンへ接続して再生することが出来るように構成する。【０００８】　解像度１００万画素のＣＣＤカメラを用いた場合、撮影間隔を毎秒１画面で、１／５０に映像信号を圧縮することで、８０ＧＢのハードディスクに約５日間の記録をエンドレスに記録することが出来た。
【図面の簡単な説明】
【０００９】
【図１】エンドレス記録／再生機能付き監視用カメラ装置の構成図
【図２】従来のケーブルを用いた監視カメラシステ厶の設置例
【符号の説明】
【００１０】１　ＣＣＤカメラ
２　一時記録メモリー
３　ハードディスク制御部
４　ハードディスク
５　制御部
６　外部接続部
【図１】
0003100533.tif 000003
【図２】
0003100533.tif 000004
(57)【要約】　　　（修正有）【課題】赤、青、緑の発光ＬＥＤを電子制御により発光させる事で自由な色調を作り出し、その色調を再現する事が出来る。【解決手段】ＬＥＤ素子１つの中に赤、青、緑、のＬＥＤが接近した状態でおのおの独立し実装されているため、色が混ざった状態で発光可能である。３のコントロルＢＯＸ部の８、９、１０の各ボリュームは１５のＣＰＵ回路と電気的に接続し、赤色、青色、緑色それそれの明るさを個々に調節できる。４のボリュームは、全体の明るさを調節する。６の機能選択スイッチは、記録モード、選択モードといった２つの機能を切り替える事が出来る。７は実行押しボタンで、６の機能選択スイッチで選択された機能に従った動作を実行する。たとえば６の機能選択スイッチが記録モードの設定で７の実行ボタンが押された場合、５の２桁７セグＬＥＤの番号表示で区別され、ボリューム８、９、１０の値を記録する。【選択図】図１
0003100531.tif 000002
【実用新案登録請求の範囲】
【請求項１】
　１つのＬＥＤ素子の中に赤、青、緑のＬＥＤが近接してありその発光を調節する事により、色調フィルタとして用いる光学顕微鏡用リング照明装置。
【考案の詳細な説明】
【技術分野】
【０００１】　本考案は、光学顕微鏡用リング照明装置に色調フィルタを電子的に付加した物である。
【背景技術】
【０００２】　光学顕微鏡の照明装置は、ハロゲンランプ、キセノンランプや蛍光灯等、主に明るさを重視した物である。しかし試料によっては、観察したい特質を明確にする目的から、カラーフィルタを介した方法もよく取られている。
【考案の開示】
【考案が解決しようとする課題】
【０００３】　従来、カラーフィルタを用いる方法では、そのつど観察する試料に合ったカラーフィルタを選択する必要があり、ちょうど良いものを見つけるのは困難だった。
【課題を解決するための手段】
【０００４】　本考案は、赤、青、緑の発光ＬＥＤを電子制御により発光させる事で自由な色調を作り出し、その色調を再現する事が出来る事を主要な特徴とする。
【考案の効果】
【０００５】　本考案の光学顕微鏡用リング照明装置は、赤、青、緑の発光する度合いを変えることにより、自由な色調を作りだし、観察する試料にちょうど良い色調とすることが出来る。
【考案を実施するための最良の形態】
【０００６】　ＬＥＤ素子をリング状に配置し、それを最小幅の円形カバーに収め実現した。
【実施例】
【０００７】　図１は、本考案装置の全体外観斜視図で、１のＬＥＤ照明カバー部と、３のコントロールＢＯＸ部に大きく分けられる。【０００８】　図２の断面図、図３の正面図は、１のＬＥＤ照明カバー内部の構造を現している。【０００９】　図２の１３、１４は、図３と同様であり、１３はＬＥＤ実装基板、１４は赤、青、緑のＬＥＤを１パッケージに収めたＬＥＤ素子である。ＬＥＤ素子は明るさを確保する目的から２５個程度を円周上に配置する。【０００１０】　ＬＥＤ素子１つの中に赤、青、緑、のＬＥＤが接近した状態でおのおの独立し実装されているため、色が混ざった状態で発光可能である。【０００１１】　３のコントロルＢＯＸ部の８、９、１０の各ボリュームは１５のＣＰＵ回路と電気的に接続し、赤色、青色、緑色それそれの明るさを個々に調節できる。４のボリュームは、全体の明るさを調節する。【００１２】　６の機能選択スイッチは、記録モード、選択モードといった２つの機能を切り替える事が出来る。【００１３】　７は実行押しボタンで、６の機能選択スイッチで選択された機能に従った動作を実行する。たとえば６の機能選択スイッチが記録モードの設定で７の実行ボタンが押された場合、５の２桁７セグＬＥＤの番号表示で区別され、ボリューム８、９、１０の値を記録する。【００１４】　５の２桁７セグＬＥＤは、記録されるたびに＋１され、９９に達し場合次は０になる。【００１５】　記録された色調を再現するには、６の機能選択スイッチを選択モードに設定する。
７の実行ボタンを押すたびに５の２桁７セグＬＥＤの番号表示で区別されたボリューム８，９，１０の記録値に従った色調を再現し、再び７の実行ボタンを押すと５の２桁７セグＬＥＤの番号表示は＋１し次の色調を再現する。
【産業上の利用可能性】
【００１６】　本考案は、光学顕微鏡のリング照明装置に関する物で、３のコントロールＢＯＸで、色調の操作を容易にすることが出来、大いに試料の観察向上に役立つ。
【図面の簡単な説明】
【００１７】
【図１】　　本考案を実施した外観斜視図
【図２】　　本考案の実施したリング照明部の断面図
【図３】　　リング照明部のＬＥＤ実装詳細図
【符号の説明】
【００１８】１　ＬＥＤ照明カバー
２　ＤＣ電源ケーブル
３　コントロールＢＯＸ
４　ボリューム（全体明るさ調整）
５　２桁７セグＬＥＤ
６　モード選択スイッチ
７　実行押しボタン
８　ボリューム（緑色の明るさ調整）
９　ボリューム（青色の明るさ調整）
１０　ボリューム（赤青色の明るさ調整）
１１　ＡＣ電源コード
１２　押さえネジ
１３　ＬＥＤ実装基板
１４　ＬＥＤ
１５　ＣＰＵ回路
【図１】
0003100531.tif 000003
【図２】
0003100531.tif 000004
【図３】
0003100531.tif 000005
(57)【要約】
【課題】送話口に適した消毒具を提供すること。
【解決手段】常温で揮散性を有する消毒成分、及び1.8シネオールを含浸させた粒子２やシート４を適宜の手段で送話口６に固定可能とする。
【選択図】図２
0003100502.tif 000002
【実用新案登録請求の範囲】
【請求項１】
　常温で揮散性を有する消毒成分、及び1.8シネオールを含浸させた担体に、送話口に着脱可能に固定する固定部材が設けられた送話口用消毒具。
【請求項２】
　常温で揮散性を有する消毒成分、及び1.8シネオールを含浸させた担体を、送話口に着脱可能に固定する固定部材を兼ねた容器に収容して構成されている送話口用消毒具。
【請求項３】
　常温で揮散性を有する消毒成分、及び1.8シネオールを含浸させた担体からなるシートに、送話口に固定するための固定手段が形成されている送話口用消毒具。
【請求項４】
　前記1.8シネオールが、香油として含有されている請求項１乃至請求項３のいずれかに記載の送話口用消毒具。
【考案の詳細な説明】
【技術分野】
【０００１】
　本考案は、電話機の送話口に装着する送話口用の消毒具に関する。
【背景技術】
【０００２】
　例えば電話機の送話口用の消毒具は、特許文献１に見られるように、芳香剤や消毒用薬剤を含浸させて構成されている。
【特許文献１】実用新案登録第3076174号公報
【考案の開示】
【考案が解決しようとする課題】
【０００３】
　これによれば、送話口を可及的に清潔に維持でき、芳香とともに不快感なく電話を使用することができる。
　本考案は、さらに電話の使用形態に鑑みてより実用的な機能を備えた送話口に適した消毒具を提供することを目的とすることである。
【課題を解決するための手段】
【０００４】
　本考案はこのような課題を達成するために、常温で揮散性を有する消毒成分、及び1.8シネオールを含浸させた担体を適宜の手段で送話口に固定可能とした。
【考案の効果】
【０００５】
　これによれば、消毒具に含有されている消毒成分が徐々に昇華、または揮散して雑菌を死滅させる。また1.8シネオールが揮散してその抗菌性により鼻の粘膜の炎症を抑制し、花粉症などの症状を軽減するのに寄与する。
【考案を実施するための最良の形態】
【０００６】
　そこで、以下に本考案の詳細を図示した実施例に基づいて説明する。
　図１(イ)、(ロ)は、それぞれ本考案の消毒具の一実施例を示すものであって、図１(イ)の消毒具１は、常温で揮散性を有する薬剤粒子２を、これが落下しない程度の網目加工された容器３に収容したものであり、また図１(ロ)は薬剤粒子の原料をシート４に加工してリング状に成形して容器２に収容して構成されている。
【０００７】
　容器２の裏面には、接着層を形成したり、また送話口に摩擦係合可能な突起からなる図示しない周知の固定手段が形成されている。
【０００８】
　薬剤を構成する消毒薬は、常温においてオキシキノリン(別名オキシン)(Ｃ9Ｈ7ＮＯ)を揮散する塩酸塩(Ｃ9Ｈ7ＮＯ・ＨＣｌ・Ｈ2Ｏ)、または硫酸塩(Ｃ9Ｈ7ＮＯ)2Ｈ2ＳＯ4のいずれか一方、または両方、及び1.8シネオール、好ましく1.8シネオールを含有するユーカリラジアタ（学名　 Eucalyptus radiata）などの香油（精油)と、担体、例えば特開平11-181147号公報に記載されているような周知の球状セルロースとをアルコール、もしくは精製水により粘土状に混練し、打錠機により顆粒状に成形したり、またシート状に成形して構成されている。
【０００９】
　なお、1.8シネオールを含有する精油としては、ユーカリラジアタの他に、ペパーミント(学名　Mentha piperita）、ティートリー（学名　Melaｌeuca alternifolia）、カユプテ（学名　Melaleuca cajeputii）の一種、または複数種を使用することができる。
【００１０】
　薬剤を顆粒状に成形した場合には、ケース３に収容するのが好ましく、またシートに加工した場合には、前述の図１(ロ)に示したケース３に収容するだけでなく、裏面に両面接着テープを貼付して固定具を形成してもよい。
【００１１】
　なお、送話口用消毒具１は、遮気性シートで構成された袋に収容され、薬剤の散逸が可及的に防止された状態で流通に載せられる。
【００１２】
　使用に際しては、袋から消毒具１を取り出して、固定手段、つまり両面接着テープが形成された面を受話器５の送話口６に押しつけることにより容易に装着することができる。
【００１３】
　電話を使用している状態では、消毒具１に含有されているオキシキノリンが徐々に揮散して肌との当接領域の雑菌を死滅させ、また1.8シネオールが揮散してその抗菌性により鼻の粘膜の炎症を抑制し、花粉症などの症状を軽減するのに寄与する。
【００１４】
　使用期限に達した場合には、送話口６の消毒具１を引き剥がして、新しい消毒具を取りつける。
【００１５】
　なお、上述の実施例においては、1.8シネオールを消毒薬とともに担体に混練しているが、予め消毒薬を含有させた担体に香油を後から含浸させるようにしても同様の作用を奏することは明らかである。
【図面の簡単な説明】
【００１６】
【図１】図(イ)、(ロ)は、それぞれ本考案の消毒具の一実施例を示す断面図と、一部破断正面図である。
【図２】同上消毒具を電話機の受話器に装着した状態を示す図である。
【符号の説明】
【００１７】
　　１　消毒具　　２　薬剤粒子　　３　容器　　４　薬剤のシート　　５　受話器　　６　送話口
【図１】
0003100502.tif 000003
【図２】
0003100502.tif 000004
(57)【要約】　　　（修正有）【課題】　バッテリーとモーターの双方を使うことにより、騒音もなく、排気ガスも出ない、環境に優しい、安全な刈払機を提供する。【解決手段】　バッテリー１と、モーター２の双方を背負台３に設け、それを背負って重量のバランスをよくし、騒音と排気ガスをなくして、安全のため、メインスイッチ７、背負スイッチ８、作業用スイッチ１４の、三カ所に安全スイッチを設けたことを特徴とする。【選択図】図１
0003100526.tif 000002
【実用新案登録請求の範囲】
【請求項１】
　背負式電動モーター刈払機は、バッテリー（１）とモーター（２）が、背負台（３）上で自由に動くよう、取付ボルト（６）一本でモーター取付台（４）に取り付け、モーター（２）が左右どちらの方向にも動くようにし、安全のため、電気スイッチをメインスイッチ（７）と、作業時に背負う時だけ作動するよう背負スイッチ（８）と、刈払機の操作管（１２）に作業用スイッチ（１４）の三カ所に設けた刈払機である。
【考案の詳細な説明】
【技術分野】
【０００１】　この考案は、背負式で、背負台（３）にバッテリー（１）と、モーター（２）を取り付けた刈払機に関するものである。
【背景技術】
【０００２】　従来は、エンジン刈払機とモーターを利用した肩掛式の刈払機がある。
【考案の開示】
【考案が解決しようとする課題】
【０００３】　これは、次のような欠点があった。
（イ）エンジン刈払機は、音がひどく周囲の音等が聞こえにくく、安全上問題があった。
（ロ）排気ガスがでる。
（ハ）モーターを利用した肩掛け刈払機は、モーターがプリントモーターのため力がなく、作業が困難であった。
そのために本考案は、この欠点を除くためになされたものである。
【課題を解決するための手段】
【０００４】　本体を背負式にして、無理なく全体の重量のバランスをとるため、背負台（３）にバッテリー（１）とモーター（２）を設け、安全のため、三カ所にスイッチを設けた。
　一番目のスイッチは、背負った時以外は作動しないよう背負バンド（１０）に背負スイッチ（８）を設け、二番目に、メインスイッチ（７）を入りにして、三番目に、作業用スイッチ（１４）を操作管（１２）に設け、作業する時入、切で使用できる刈払機である。
【考案の効果】
【０００５】　本考案は、以上のような構造でこれを使用するときは、背負台（３）を背負うと、背負バンド（１０）に設けた背負スイッチ（８）が体で押さえられ自動的に働き、その後、メインスイッチ（７）を入れ、作業用スイッチ（１４）を入れて、刈刃（１５）を回転させ刈り払い作業を行う装置で、電気により動かす刈払機なので騒音もなく、排気ガスもでない、環境に優しい刈払機である。
【考案を実施するための最良の形態】
【０００６】（イ）背負台（３）に、バッテリー（１）とモーター（２）を設ける。
（ロ）バッテリー（１）よりメインスイッチ（７）から背負スイッチ（８）へ、そして、操作管（１２）の作業用スイッチ（１４）の入、切で電気リレー（１１）が働き、モーター（２）が回転する。
（ハ）モーター（２）が回転すると、操作管（１２）の中のフレシキブルワイヤー（５）よりシャフト（１３）へと動力が伝わり、刈刃（１５）が回転する。
　操作管（１２）の作業用スイッチ（１４）を入、切で電気リレー（１１）が働き、モーター（２）が回転する。
【実施例】
【０００７】　電動なので、振動も騒音もなく、作業するのに安全で、楽である。
【産業上の利用可能性】
【０００８】　排気ガスがでず、振動や騒音もなく、安全で、環境に優しい機械である。
【図面の簡単な説明】
【０００９】
【図１】本考案の電動モーターの構造を示した平面図である。
【図２】本考案の電動モーターの構造を右側から示した側面図である。
【図３】本考案の電動モーターの構造を示した正面図である。
【図４】本考案の刈払機の構造を示した平面図である。
【図５】本考案の刈払機の構造を示した側面図である。
【符号の説明】
【０００１０】１　バッテリー　２　モータ　　３　背負台　４　モーター取付台　５　フレキシブルワイヤー　６　取付ボルト　７　メインスイッチ　８　背負スイッチ　９　フレキシブルホース　１０　背負バンド　１１　電気リレー　１２　操作管　１３　シャフト　１４　作業用スイッチ　１５　刈刃
【図１】
0003100526.tif 000003
【図２】
0003100526.tif 000004
【図３】
0003100526.tif 000005
【図４】
0003100526.tif 000006
【図５】
0003100526.tif 000007